(57)【要約】本発明は、電気通信システムにおいて、端末の動作モードデータを判断し、記憶し、かつ、利用するための方法に関するものであり、前記方法において、ユーザーは、自身の端末（ＭＳ）を２つ以上の動作モードに設定することができる。本発明によれば、端末の動作モードが変更され、利用可能な電気通信ネットワーク（ＮＥＴ）において用いられる技術を用いて、動作モードの変更に関する情報が、端末から電気通信サーバー（ＤＰ）へ送信され、かつ、端末の動作モードの変更が、電気通信サーバー上に保存される。
2004533760.tif 000002
【特許請求の範囲】
【請求項１】
電気通信システムにおいて、端末の動作モードデータを判断し、記憶し、かつ、利用するための方法にして、ユーザーが自身の端末を２つ以上の動作モードに設定することができる方法であって、さらに、前記方法は、
端末の動作モードが変更される段階と、
利用可能な電気通信ネットワークにおいて用いられる技術を用いて、動作モードの変更に関する情報が、端末から電気通信サーバーへ送信される段階と、
端末の動作モードの変更が、電気通信サーバー上に保存される段階と
を具備することを特徴とする方法。
【請求項２】
前記電気通信サーバー内に存在する動作モードデータは、送信されて、他のユーザーにより閲覧可能なユーザー固有の情報となることを特徴とする請求項１に記載の方法。
【請求項３】
前記他のユーザーにより閲覧可能な動作モードデータは、可視領域の形に分割されることを特徴とする請求項１または請求項２に記載の方法。
【請求項４】
前記ユーザーの端末への接続を確立できる場合に、
ユーザーとの接続の確立を希望する当事者は、他のユーザーにより閲覧可能な動作モードデータをチェックして、端末の動作モードを判断し、
この動作モードのチェックの後に、ユーザーの端末への接続の確立についての判断がなされることを特徴とする請求項１から請求項３のいずれかに記載の方法。
【請求項５】
前記端末の動作モードデータは、ユーザーが自身の端末の動作プロファイルを変更する場合に、前記電気通信サーバー内で更新されることを特徴とする請求項１から請求項４のいずれかに記載の方法。
【請求項６】
前記端末の動作モードデータが配信される当事者の数は制限されることを特徴とする請求項１から請求項５のいずれかに記載の方法。
【請求項７】
前記電気通信サーバー上の動作モードデータに、
ユーザーおよび／または端末の身元、
様々な時刻において、ユーザーに到達できる手段である端末、
ユーザーに到達するための端末設定データ、
ユーザーに到達するために利用可能な電気通信接続の形式、
端末のＩＰアドレス、
端末の位置データ
というデータ項目のうちの１つ以上が記憶されることを特徴とする請求項１に記載の方法。
【請求項８】
前記端末の動作モードに関する情報は、端末の動作モードが変更された場合にユーザー側において何の作用も行わずに自動的に、端末から電気通信サーバーへ送信されることを特徴とする請求項１に記載の方法。
【請求項９】
前記端末の動作モードに関する情報は、端末の動作モードが変更された場合にユーザーにより手動で、端末から電気通信サーバーへ送信されることを特徴とする請求項１に記載の方法。
【請求項１０】
受信された前記動作モードデータに基づいて、その動作環境の変更に関する情報は端末へ送信され、
端末の動作環境は、変更情報と調和するように修正されることを特徴とする請求項１、請求項５、請求項８、または、請求項９のいずれかに記載の方法。
【請求項１１】
前記端末内のアプリケーション、および／または、該端末のユーザーインターフェースは、前記変更情報にしたがって変更されることを特徴とする請求項１０に記載の方法。
【請求項１２】
前記端末の動作モードデータは、広告および／またはサービスを端末へ送信するために利用されることを特徴とする請求項１から請求項９のいずれかに記載の方法。
【請求項１３】
前記ユーザーまたは端末を識別する身元データは、動作モードデータの送信と関連して電気通信サーバーへ送信され、
前記身元データに基づいて、ユーザーの到達可能性の管理と関連した到達可能性チェーンは、受信された端末の動作モードと調和するように、電気通信サーバー内で修正され、
呼制御は、前記到達可能性チェーンにしたがって変更されることを特徴とする請求項１、請求項５、請求項８、または、請求項９のいずれかに記載の方法。
【請求項１４】
前記到達可能性チェーンは、ユーザー固有の到達可能性プロファイル内で定義されることを特徴とする請求項１３に記載の方法。
【請求項１５】
前記ユーザーの到達可能性プロファイルは、ＷＷＷユーザーインターフェースを経て変更されることを特徴とする請求項１、請求項１３、または、請求項１４のいずれかに記載の方法。
【請求項１６】
前記端末は移動局であることを特徴とする請求項１から請求項１５のいずれかに記載の方法。
【請求項１７】
前記端末の動作モードの変更に関する情報は、ＳＭＳまたはＷＡＰメッセージの形式で電気通信サーバーへ送信されることを特徴とする請求項１から請求項１６のいずれかに記載の方法。
【請求項１８】
電気通信システムにおいて、端末の動作モードデータを判断し、記憶し、かつ、利用するためのシステムであって、
電気通信ネットワーク（ＮＥＴ）と、
電気通信ネットワーク（ＮＥＴ）と通信するユーザーの端末（ＭＳ）と
を具備し、
ユーザーの端末の活動状態動作モードデータを維持するための電気通信サーバー（ＤＰ）
をさらに具備することを特徴とするシステム。
【請求項１９】
１人以上のユーザーおよび／または１つ以上の端末に関する情報を含む１つ以上のメモ（ＭＥＭ１，…，ＭＥＭｎ）を具備することを特徴とする請求項１８に記載のシステム。
【請求項２０】
様々な動作モードと関連したアプリケーションおよび動作に関する設定を記憶するための、かつ、アプリケーションおよび動作に関する必要な設定を端末へ送信するためのアプリケーションサーバー（ＰＲＯＧ）を具備することを特徴とする請求項１８または請求項１９に記載のシステム。
【請求項２１】
前記電気通信サーバー（ＤＰ）は、到達可能性チェーンが定義される１つ以上のユーザー固有の到達可能性プロファイルを具備することを特徴とする請求項１８から請求項２０のいずれかに記載のシステム。
【請求項２２】
前記電気通信サーバー（ＤＰ）に接続されており、かつ、選択された到達可能性チェーンにしたがって呼設定を制御する呼制御システム（ＩＮ）を具備することを特徴とする請求項１８から請求項２１のいずれかに記載のシステム。
【請求項２３】
前記呼制御システム（ＩＮ）は、インテリジェントネットワークであることを特徴とする請求項２２に記載のシステム。
【請求項２４】
前記端末（ＭＳ）は移動局であることを特徴とする請求項１８から請求項２３のいずれかに記載のシステム。
【発明の詳細な説明】
【技術分野】
【０００１】
本発明は、電気通信技術に関するものである。本発明は、ユーザー端末の動作モード（operating mode）データの利用のための方法およびシステムに関するものである。
【背景技術】
【０００２】
電気通信ネットワーク、および、特に移動通信ネットワーク内の電気通信端末のユーザーには、事実上、常に到達可能（reachable）である。移動局の動作モードについては、例えば、いわゆるプロファイルを用いることにより変更することができる。端末のユーザーが、例えば重要なミーティングに出席している場合に、彼は、特定の“ミーティング”プロファイルを定義しておくことができ、この場合に、移動局は静止動作モード状態にあり、かつ、所定の番号からの呼のためにのみ警報を出す。端末と関連づけられるプロファイルは、該端末のユーザーにより、該端末自体によって定義される。
【０００３】
参照文献である（ペルトラら（Peltola）らによる）国際公開第００／４２７８４号公報（WO 00/42784）は、別々にネットワークと連絡を取ることにより、かつ、対応する通知を所定のサーバに与えることにより、ユーザーが自身の回線状態（活動状態／非活動状態）を変更できる解決法を開示している。
【０００４】
参照文献である（ツォウカスら（Tsoukas）による）国際公開第９７／４１６５４号公報（WO 97/41654）は、顧客と関連した顧客プロファイルが、電気通信ネットワーク内に設けられたデータベースに記憶される解決法を開示している。顧客プロファイルは、時刻および／または場所に応じた様々なサービス要請を含むことができる。顧客プロファイルに記憶されたデータは、誘発的性質のものである。換言すれば、顧客は、例えば、株価のために、様々なスケジュール条件および制限を定義することができる。こうして設定された条件が満たされると、サーバーは、例えば、移動通信ネットワークにおいて用いられるようなショートメッセージ（ＳＭＳ：ショートメッセージサービス）のような対応メッセージを、顧客の端末へ自動的に送信する。
【０００５】
国際公開第９７／４１６５４号公報に示された解決法は、定義されたプロファイルまたは位置データにしたがう広告またはサービスの提供を可能にする。この参照文献による解決法は、広告またはサービスの重点を実際の端末状態に適用することを可能にはせず、サービスは、事前にプロファイルに記憶された情報に基づいて適用されるのみである。
【０００６】
例えば移動通信ネットワークのような電気通信ネットワークと関連して、到達可能性管理システム（reachability management system）を定義することが可能である。ユーザーは、自身のプロファイルを到達可能性管理システムに定義することができ、かつ、到達可能性チェーンを思い通りに形成することができる。所定の時刻に用いられる到達可能性チェーンは、プロファイルに記憶された規則に基づいて定義されている。ユーザーは、特定のメッセージを到達可能性管理システムへ送信することにより、所定の到達可能性チェーンを活動状態に手動で設定することもできる。
【０００７】
例えば移動局およびＰＤＡ（ＰＤＡ：携帯情報端末）装置のような端末に含まれるアプリケーションは静的性質のものであり、換言すれば、端末に含まれるアプリケーションは、変更不可能である。移動局は、移動局の特性（property）を修正する機会をかなり制限された状態で提供する。可能な修正は、前述のように主にユーザープロファイルに基づくものである。実際に、ユーザーは、時刻および場所に適応するように自身の移動局の呼び出し音（ringing tone）の形式を変更できるのみであって、さらに、端末に含まれる様々なアプリケーションを、使用中のアプリケーションやユーザーインターフェースまたは外側（exterior）を変更することによって現在の状況に適合させることもできない。
【０００８】
場所データまたは時刻の定義に基づいて、広告およびサービスを端末に提供することが可能である。電気通信ネットワークにおいて、どの広告または他のサービスがユーザーへ送信されるのかに基づいて、ユーザープロファイルを定義することが可能である。プロファイル内において、例えば、所望の情報がユーザーの端末へ送信される日時を定義することが可能である。しかしながら、前述した機能性は、端末の実際の活動状態については全く考慮していない。
【０００９】
現状における特定の問題は、加入者Ｂに到達しようとする当事者には、当該の加入者Ｂが接続設定要請や広告またはサービスを受信できるか否かについて分からないという事実でもある。したがって、端末ユーザー（加入者Ｂ）と連絡を取ろうとする当事者（加入者Ａ）には、端末または加入者Ｂの状態について知る機会がない。
【発明の開示】
【発明が解決しようとする課題】
【００１０】
本発明の目的は、前述した欠点を排除するか、または、これらの欠点を少なくとも著しく緩和することである。本発明の特定の目的は、ユーザーの端末の動作モードデータを多方面に利用することを可能にする新たな形式の方法およびシステムを開示することである。
【課題を解決するための手段】
【００１１】
本発明は、電気通信システムにおいて、端末の動作モードデータを判断し、記憶し、かつ、利用するための方法に関するものであり、前記方法において、ユーザーは、自身の端末を２つ以上の動作モードに設定することができる。前記端末は、移動局であることが好ましい。本発明によれば、端末の動作モードが変更される。動作モードの変更の結果として、端末は、利用可能な電気通信ネットワークにおいて用いられる技術を用いて、動作モードの変更に関する情報を、電気通信サーバーへ送信する。動作モードの変更に関する情報は、例えば、移動通信ネットワークにおいて用いられるようなショートメッセージまたはＷＡＰ（無線アプリケーションプロトコル）メッセージの状態で、電気通信サーバーへ送信される。電気通信サーバーは、端末により更新された動作モードを保存する。動作モードの変更に関する情報は、ユーザー側において何の作用も行わずに自動的に、または、ユーザーにより手動で、電気通信サーバーへ送信される。さらに、ユーザー固有のデータが、電気通信サーバー上に記憶される。このデータの形式は、例えば、ユーザーおよび／または端末の身元、様々な時刻においてユーザーに到達できる手段である端末、ユーザーに到達するための端末設定データ、ユーザーに到達するために利用可能な電気通信接続の形式、端末のＩＰ（インターネットプロトコル）アドレス、および、端末の位置データを含むことができる。
【００１２】
前記電気通信サーバー上における端末の動作モードデータは必ずしも自動的に公開されるとは限らず、該動作モードデータについては、ユーザーが許可した場合に他の当事者へ送信することができる。他のユーザーにとって可視である動作モードデータについては、例えば、様々な可視領域の形にさらに分割することができ、この結果、動作モードデータは、様々な精度によって様々な当事者に示される。
【００１３】
本発明の一実施例において、ユーザーの端末への接続を確立することができる。ユーザーとの連絡の確立を希望する当事者は、他のユーザーにより閲覧可能な動作モードデータをチェックして、端末の動作モードを判断し、この動作モードのチェックを実行した後に、ユーザーの端末への接続の確立についての判断を行う。
【００１４】
本発明の一実施例において、受信された前記動作モードデータに基づいて、その動作環境の変更に関する情報は端末へ送信され、かつ、端末の動作環境は、変更情報と調和するように修正される。‘動作環境’は、例えば、端末内に含まれるアプリケーション、および、そのユーザーインターフェースを指す。換言すれば、端末内に含まれるアプリケーションおよびその動作環境は、端末の動作プロファイルにしたがって変更される。必要なアプリケーション、および、変更に関する情報は、電気通信ネットワークから端末内にロードされる。
【００１５】
本発明の一実施例において、前記端末の動作モードデータは、広告および／またはサービスを端末へ送信するために利用される。
【００１６】
本発明の一実施例において、前記ユーザーまたは端末を識別する身元データは、動作モードデータの送信と関連して電気通信サーバーへ送信され、かつ、前記身元データに基づいて、ユーザーの到達可能性の管理と関連した到達可能性チェーンは、受信された端末の動作モードと調和するように、電気通信サーバー内で修正される。換言すれば、ユーザーが自身の端末の動作プロファイルの変更を行う場合に、動作モードの変更に関する情報は、電気通信サーバーの到達可能性管理システムへ送信される。呼制御は、前記到達可能性チェーンと調和するように変更される。前記管理システム内に含まれるユーザー固有の到達可能性チェーンは、各々の動作モードによってどの到達可能性チェーンを用いることができるのかを定義する。前記ユーザー固有の到達可能性プロファイルの変更については、例えば、ＷＷＷユーザーインターフェースを経て行うことができる。
【００１７】
本発明は、電気通信システムにおいて、端末の動作モードデータを判断し、記憶し、かつ、利用するためのシステムに関するものであり、前記システムは、電気通信ネットワークと、電気通信ネットワークと接続されたユーザーの端末とを具備する。本発明によれば、前記システムは、ユーザーの端末に関する活動状態動作モードデータを維持するための電気通信サーバーを具備する。
【００１８】
本発明の一実施例において、前記システムは、１人以上のユーザーおよび／または１つ以上の端末に関する情報を含む１つ以上のメモを具備する。
【００１９】
本発明の一実施例において、前記システムは、様々な動作モードと関連したアプリケーションおよび動作に関する設定を記憶するための、かつ、アプリケーションおよび動作に関する必要な設定を端末へ送信するためのアプリケーションサーバーを具備する。
【００２０】
本発明の一実施例において、前記電気通信サーバーは、到達可能性チェーンが定義される１つ以上のユーザー固有の到達可能性プロファイルを具備する。
【００２１】
本発明の一実施例において、前記システムは、前記電気通信サーバーに接続されており、かつ、選択された到達可能性チェーンにしたがって呼設定を制御する呼制御システムを具備する。前記呼制御システムは、例えば、インテリジェントネットワーク（ＩＮ）である。
【００２２】
本発明の一実施例において、前記システムは、前記電気通信サーバーに接続されており、かつ、選択された到達可能性チェーンにしたがって呼設定を制御する呼制御システムを具備する。‘呼制御システム’は、好ましくは、インテリジェントネットワークを指す。
【００２３】
本発明の一実施例において、前記端末は移動局である。
【００２４】
本発明は、加入者Ｂとの接続を確立する加入者Ａが、加入者Ｂの端末の動作モードを最初にチェックし、次に、接続の確立について判断することを可能にする。さらに、本発明は、端末の動作環境およびそれに含まれるアプリケーションを、動作プロファイルにしたがって、その時刻において有効と判断することを可能にする。このことは、例えば、端末が、勤務時間中に、休暇中とは異なるアプリケーションを含み得る可能性をもたらす。
【００２５】
本発明は、ユーザーの端末に適用される広告およびサービスを、ユーザーおよび／またはユーザーの端末に関するモードデータにしたがって送信することを可能にする。
【００２６】
本発明は、ユーザーが自身の端末を経て行った動作モード選択を、到達可能性管理システムの制御においても用いることを可能にする。
【発明を実施するための最良の形態】
【００２７】
以下、本発明について、その実施例の例によって、詳細に説明する。
【００２８】
図１に示されるシステムは、移動局であることが好ましい端末ＭＳ１，ＭＳ２を具備する。これらの移動局は、移動通信ネットワークであることが好ましい電気通信ネットワークＮＥＴに接続される。移動通信ネットワークＮＥＴに接続されているのは、電気通信サーバーＤＰである。電気通信サーバーＤＰの機能は、それを用いる移動局に関する情報を維持すること、および、特に、移動局の活動状態動作モードをモニタリングすることである。この例において、‘動作モード’は、移動局の動作プロファイル（operating profile）を指す。動作プロファイルは、例えば、“仕事中”、“昼食中”、または、“余暇中”であり得る。電気通信サーバーＤＰは、それを用いる移動局の動作モードが記憶されるメモＭＥＭを具備する。メモに記憶できる、端末に関するさらなる情報は、例えば、ユーザーおよび／または端末の身元（identity）、各々の特定時刻においてユーザーに到達可能な手段である端末の形式、または、ユーザーに到達するための端末設定データを含む。さらに、メモＭＥＭは、ユーザーの端末を経て該ユーザーに到達できる手段となる電気通信接続の形式や該端末のＩＰアドレスまたは該端末についての位置データを示す情報を含むことができる。‘電気通信サーバー’ＤＰは、好ましくは、本発明により提供される機能性を達成するために必要なアプリケーションを備えたサーバーコンピュータを指す。
【００２９】
図５は、図１に示されるシステムの動作についてのより詳細な説明を与える。加入者Ａ（発呼側加入者）と加入者Ｂ（被呼側加入者）との間の接続は、電気通信サーバーＤＰを経て設定される。所望の場合には、加入者Ａおよび／または加入者Ｂは、自身の連絡情報（矢印５０，５１）を、電気通信ネットワーク内に維持される電話メモにおいて更新する。さらに、加入者Ａは、自身が知っている加入者Ｂについての情報の第２メモＭＥＭ１を維持することができる（矢印５２）。第２メモＭＥＭ１は、電話番号やＩＰ番号やファーストネームなどのような加入者Ｂに関する全ての連絡情報を記憶するために用いられ、かつ、加入者Ａにより整頓されかつ選択される。
【００３０】
メモＭＥＭの働きは、該メモＭＥＭが、それを利用する各ユーザーの端末の動作モードを、各々の場合に利用可能な電気通信ネットワーク技術を用いてモニタリングする機能に基づくものである。メモＭＥＭは、加入者Ｂにより用いられる端末の到達可能性の状態、および、その通信レベルを、自動的に、または、ユーザーの制御下でモニタリングする（矢印５３）。この場合に、メモＭＥＭは、ユーザーに関する連絡情報に加えて、例えば、ユーザーに到達するために現在はどの端末を利用できるのかを示すデータを含む。メモＭＥＭにさらに記憶されるのは、ユーザーに到達するための、ユーザーの端末における現在の設定を与える情報である。各々の瞬間におけるユーザーの電気通信ネットワーク受信可能範囲の品質を示す情報、および、該ユーザーの現在位置をメモＭＥＭに記憶することが、さらに可能である。
【００３１】
加入者Ａが加入者Ｂとの接続を確立することを希望する場合に、加入者Ａは、最初に、自身が用いる端末を経て、電気通信サーバーＤＰ上の第２メモＭＥＭ１への接続を設定し、この場合に、加入者Ａは、所望の加入者Ｂの動作モードデータを閲覧することができる（矢印５４）。図１に示される例によれば、メモＭＥＭおよび第２メモＭＥＭ１は、同じ電気通信サーバーＤＰ上に配置される。しかしながら、これは、考えられ得る取り決めの一例に過ぎない。加入者Ａの第２メモＭＥＭ１については、様々な電気通信サーバーＤＰ上に配置することができ、該様々な電気通信サーバーＤＰは、クライアント−サーバー形式の接続ソフトウェアを用いて、所望の加入者Ｂの動作モードに関する情報を、第２メモＭＥＭ１内に取ってくる。この後に、第２メモＭＥＭ１内の情報については、ある間隔にて自動的に、または、電気通信ネットワークの状態に関するある基準が満たされた場合に、更新することができる。例えば、ユーザーの端末が様々な形式の電気通信ネットワークをサポートする場合に、かつ、そのデータ送信機能が例えばＧＳＭネットワークからＷＬＡＮ（無線ローカルエリアネットワーク）またはブルートゥース（Bluetooth）ネットワークへ転送される場合に、データが更新される。あるいは、加入者Ａは、端末内のアプリケーションを用いて、加入者Ｂと関連した動作モードデータを端末のメモリ内にロードすることができ、この場合に、加入者Ａは、所望の人物をその後に選択することができる。加入者Ｂの端末内に設置された加速度計が存在すれば、加入者Ｂにより指定された端末が使用中であるか否かに関する情報を加入者Ａの端末へ送信することが可能である。さらに、接続設定の後に、加速度計は、加入者Ｂが３次元的にどこに位置しているのかに関する情報を加入者Ａに提供する。
【００３２】
加入者Ａは、所望の加入者Ｂについての動作モードデータから、加入者Ｂに到達可能であるか否かを知ることができる。加入者Ｂに到達可能であれば、加入者Ａは、端末内のアプリケーションを用いて、電気通信ネットワーク内に設けられた電話メモを経て、加入者Ｂとの接続を確立する。呼設定と関連して、加入者Ｂは、自身との接続を確立しようとする加入者Ａに関する情報を受信する（矢印５５）。この情報は、例えば、呼設定と関連した加入者Ａの名前、写真、呼び出し音、ＵＲＬアドレスなどを含むことができ、加入者Ｂには、連絡を確立しようとする加入者Ａの現在の状態に関する情報を与えることもできる。さらに、接続中に、加入者Ｂの端末は、加入者Ａにより分類されたメモＭＥＭ１に含まれる他のどの人物が加入者Ｂの近傍に位置しているのかに関する情報を収集することができる。この情報の収集は、例えば、ブルートゥースリンクを用いて実行され、かつ、該情報は、電気通信サーバーＤＰを経て、加入者Ａへ送信される。
【００３３】
図２により示されるシステムは、移動局であることが好ましい端末ＭＳを具備する。移動局ＭＳは、移動通信ネットワークであることが好ましい電気通信ネットワークＮＥＴに接続される。移動通信ネットワークＮＥＴに接続されているのは、電気通信サーバーＤＰである。電気通信サーバーＤＰには、到達可能性管理システムが設けられる。到達可能性管理システムは、到達可能性と関連した定義データを記憶するためのデータベースをさらに含む。電気通信サーバーＤＰからインテリジェントネットワークＩＮへの接続が提供される。‘電気通信サーバー’ＤＰは、好ましくは、本発明により必要とされる機能性を達成するために必要なアプリケーションを供給されたサーバーコンピュータを指す。図６は、図２に例示されるようなシステムの動作についてのより詳細な説明を与える。
【００３４】
ユーザーが自身の移動電話内の活動状態動作プロファイルを変更すると、例えば、動作モードの変更に関するＳＭＳまたはＷＡＰメッセージが、電気通信サーバーＤＰへ送信される（矢印６０）。動作モードの更新に関連するデータについては、端末の動作モードが変更された場合にユーザー側において何の作用も行わずに自動的に、または、ユーザーにより手動で、電気通信サーバーＤＰへ送信することができる。ここで、‘動作モード’は、例えば、移動局の動作プロファイルを指す。動作プロファイルは、例えば、“仕事中”、“昼食中”、または、“余暇中”である。
【００３５】
到達可能性管理システムは、移動電話と関連した到達可能性プロファイルにしたがって、ユーザーの到達可能性を変更する（矢印６１）。ユーザーは、到達可能性チェーンにおける変更が、何の種類の移動電話プロファイルと、および、どのようにして、関連づけられるべきなのかに関する定義を、例えばＷＷＷユーザーインターフェースを経て、自身で入力することができる。ユーザーにより送信されたメッセージにおいて、プロファイル名の他に、ユーザーに関連する身元データが送信される。呼処理システムは、定義された到達可能性チェーンにしたがって、個人の到達可能性の制御をリアルタイムで変更する。到達可能性チェーンにおける変更によって、呼制御が、インテリジェントネットワークＩＮ内で変更される（矢印６２）。この例は、インテリジェントネットワークを利用した実際の呼制御の実施手段を示しているが、他の呼制御の実施手段を用いることもできる。
【００３６】
図３により示されるシステムは、移動局であることが好ましい端末ＭＳを具備する。移動局は、移動通信ネットワークであることが好ましい電気通信ネットワークＮＥＴに接続される。移動通信ネットワークＮＥＴに接続されているのは、電気通信サーバーＤＰである。電気通信サーバーＤＰの機能は、端末の現在活動状態である動作モードをモニタリングすることである。ここで、‘動作モード’は、好ましくは、移動局の動作プロファイル（operating profile）を指し、該動作プロファイルは、例えば、“仕事中”、“昼食中”、または、“余暇中”である。電気通信サーバーＤＰは、アプリケーションサーバーＰＲＯＧにさらに接続される。‘電気通信サーバー’ＤＰは、好ましくは、本発明により必要とされる機能性を達成するために必要なアプリケーションを供給されたサーバーコンピュータを指す。図７は、図３に示されるシステムの動作についてのより詳細な説明を与える。
【００３７】
この例は、端末内のアプリケーションの管理を場所および状況に結びつけることができる方法を例示している。端末の動作モードが変更されると、該端末は、動作モードの変更に関する情報を電気通信サーバーＤＰへ送信する（矢印７０）。動作モードの変更は、ユーザー側において何の作用も行わずに自動的に、または、ユーザーにより手動で、電気通信サーバーＤＰへ送信される。電気通信サーバーＤＰは、動作モードの変更をアプリケーションサーバーＰＲＯＧへ送信する（矢印７１）。受信された情報に基づいて、アプリケーションサーバーＰＲＯＧは、ユーザーの端末内で何の変更を行うべきかを判断する。アプリケーションサーバーＰＲＯＧは、変更情報を電気通信サーバーＤＰへ送信し、該電気通信サーバーＤＰは、変更情報をユーザーの端末ＭＳへさらに送信する（矢印７２，７３）。ユーザーの端末ＭＳは、変更情報により定義された構成要素が該端末内に既に存在するか否かをチェックする（矢印７４）。そうでない場合には、端末ＭＳは、欠けている構成要素をアプリケーションサーバーＰＲＯＧから取ってくる（矢印７５）。
【００３８】
前述した例は、端末内の様々なアプリケーションを、動作プロファイルと調和するように変更することを可能にする。端末の動作プロファイルが“仕事中”であれば、端末のユーザーにとって利用可能な様々なアプリケーション、および／または、ユーザーインターフェースは、動作プロファイルが“余暇中”である場合とは異なる。
【００３９】
図４に示されるシステムは、移動局であることが好ましい端末ＭＳを具備する。移動局は、移動通信ネットワークであることが好ましい電気通信ネットワークＮＥＴに接続される。移動通信ネットワークＮＥＴに接続されているのは、電気通信サーバーＤＰである。電気通信サーバーＤＰの機能は、それを用いる移動局に関する情報を維持すること、および、特に、移動局の活動状態動作モードをモニタリングすることである。この例において、‘動作モード’は、移動局の動作プロファイルを指す。動作プロファイルは、例えば、“仕事中”、“昼食中”、または、“余暇中”であり得る。電気通信サーバーＤＰは、それを用いる移動局の動作モードが記憶されるメモＭＥＭを具備する。メモに記憶できる、端末に関するさらなる情報は、例えば、ユーザーおよび／または端末の身元、各々の特定時刻においてユーザーに到達可能な手段である端末の形式、または、ユーザーに到達するための端末設定データを含む。さらに、メモＭＥＭは、ユーザーの端末を経て該ユーザーに到達できる手段となる電気通信接続の形式や該端末のＩＰアドレスまたは該端末についての位置データを示す情報を含むことができる。１つ以上のサービスプロバイダＳＰが、電気通信サーバーＤＰとの接続を確立することができる。‘電気通信サーバー’ＤＰは、好ましくは、本発明により提供される機能性を達成するために必要なアプリケーションを設けられたサーバーコンピュータを指す。図８は、図４に例示されるシステムの動作についてのより詳細な説明を示す。
【００４０】
この例は、広告およびサービスをユーザーの移動局へ送信するために、移動局の動作モードデータをどのように利用できるのかについての説明を与える。移動局の動作モードが変更されると、該移動局は、動作モードの変更に関する通知を電気通信サーバーＤＰへ送信する（矢印８０）。動作モードの変更については、ユーザー側において何の作用も行わずに自動的に、または、ユーザーにより手動で、電気通信サーバーＤＰへ送信することができる。ユーザーは、自身へ送信された動作モードデータを利用する許可を他の当事者に与えることもできる。動作モードデータを利用するサービスプロバイダＳＰは、ユーザーが許可を与えていれば、電気通信サーバーＤＰ上にログインすることができ、かつ、該ユーザーの動作モードの変更をモニタリングすることができる（矢印８１，８２）。
【００４１】
外部の当事者に示すべき動作モードデータについては、可視領域の形に分割することができ、これにより、ユーザーの移動局の動作モードを様々な精度によって様々な当事者に示すことが可能になる。したがって、全てのサービスプロバイダは、必ずしも等しい精度の情報を受信するとは限らない。就業中のある職員はユーザーが“仕事中−昼食中”であることを知り得る一方で、他の職員は、ユーザーが“仕事中”であることを知り得るのみである。再び述べると、サービス局は、ユーザーが“自動車で帰宅途中”であるという情報を受信することができ、この結果、サービス局は、燃料の提案をユーザーの移動局へ送信することができる。動作モードデータを利用するために見出され得る多数の用途が存在する。動作モードに基づいて、サービスプロバイダＳＰは、電気通信サーバーＤＰを経て、広告または他のサービスをユーザーの端末ＭＳへ送信する（矢印８３，８４）。
【００４２】
前述した方法は、ユーザーおよび／または端末の状態にしたがって焦点を合わせたメッセージを端末へ送信することを可能にする。
【００４３】
本発明は、その実施例の例に制約されるものではなく、請求項により定義される発明的概念の範囲内で多くの変形例が可能である。
【図面の簡単な説明】
【００４４】
【図１】本発明よる好ましいシステムを示す図である。
【図２】本発明よる好ましいシステムを示す図である。
【図３】本発明よる好ましいシステムを示す図である。
【図４】本発明よる好ましいシステムを示す図である。
【図５】図１に示されるようなシステムの動作を示す信号の流れ図の好ましい例を示す図である。
【図６】図２に示されるようなシステムの動作を示す信号の流れ図の好ましい例を示す図である。
【図７】図３に示されるようなシステムの動作を示す信号の流れ図の好ましい例を示す図である。
【図８】図４に示されるようなシステムの動作を示す信号の流れ図の好ましい例を示す図である。
【符号の説明】
【００４５】
ＤＰ  電気通信サーバー
ＩＮ  インテリジェントネットワーク
ＭＥＭ  メモ
ＭＳ  移動局
ＮＥＴ  電気通信ネットワーク
ＰＲＯＧ  アプリケーションサーバー
ＳＰ  サービスプロバイダ
【図１】
2004533760.tif 000003
【図４】
2004533760.tif 000004
【図５】
2004533760.tif 000005
【図６】
2004533760.tif 000006
【図７】
2004533760.tif 000007
【図８】
2004533760.tif 000008
【国際公開パンフレット】
2004533760.tif 000009
2004533760.tif 000010
2004533760.tif 000011
2004533760.tif 000012
2004533760.tif 000013
2004533760.tif 000014
2004533760.tif 000015
2004533760.tif 000016
2004533760.tif 000017
2004533760.tif 000018
2004533760.tif 000019
2004533760.tif 000020
2004533760.tif 000021
2004533760.tif 000022
2004533760.tif 000023
2004533760.tif 000024
2004533760.tif 000025
2004533760.tif 000026
2004533760.tif 000027
2004533760.tif 000028
2004533760.tif 000029
2004533760.tif 000030
2004533760.tif 000031
2004533760.tif 000032
2004533760.tif 000033
【国際調査報告】
2004533760.tif 000034
2004533760.tif 000035